(57)【特許請求の範囲】
【請求項１】
内部にコインを収納する本体と、該本体を覆う蓋部を有するコイン収納具であって、
前記本体と前記蓋部は、前記本体の側部の後端位置に設けられたヒンジを介して接続され、前記蓋部の背面と前記ヒンジとの間の距離を前記本体の背面と前記ヒンジとの間の距離よりも長くすることで、前記ヒンジを中心に前記蓋部を回転させて前記蓋部を開いた時に、前記蓋部の背面により前記蓋部が起立し、前記本体が所定角度で傾斜して前記蓋部に対して立てかけられることを特徴とするコイン収納具。
【請求項２】
前記コインを収納するコイン収納用トレーを前記本体内に着脱自在に備えることを特徴とする請求項１に記載のコイン収納具。
【請求項３】
前記蓋部が起立した際に、前記本体が約２０度の角度で傾斜するように、前記蓋部の背面と前記ヒンジとの間の距離を設定したことを特徴とする請求項１又は２に記載のコイン収納具。
【請求項４】
前記蓋部が起立した際に、前記蓋部が約８０度の角度で後方に傾斜するように、前記蓋部の背面を傾斜させたことを特徴とする請求項１〜３のいずれかに記載のコイン収納具。
【発明の詳細な説明】
【０００１】
【発明の属する技術分野】
本発明は、コイン収納具に関するものである。
【０００２】
【従来の技術】
コイン収納具は通貨制度とともにある身近な商品である。従って歴史は古く、過去様々な工夫がなされてきた。
【０００３】
例えば、米国意匠特許第１９４、２４１号の開示例では複数種類のコインを収納するコイン収納具として、異なる種類のコインの輪郭に沿ったコイン収納溝部を本体に形成するとともに蓋部を用いてこの本体を開閉自在にしたものが開示されている。
【０００４】
一方、日本国内の小売店等では、人間は視線を水平方向よりやや下方に傾斜した姿勢を取ると作業上効率がよいことに鑑みて、単にコインを収納するだけでなく約２０度の角度をなして目視容易に収納することが求められている。また、この本体に収納したコインの合計金額を瞬時に把握する目盛り表示部を付設することが望まれている。
これら追加機能に関する先行技術として、実公平４−３１６４５号公報に開示されたコインカウンター、特開平１０−３５６５号公報に開示されたコイン収納器、そして特開平１１−１５４２５８号公報に開示された硬貨計数収納器を挙げることができる。いずれも本体を傾斜して机上に配置させるとともに、コインの金額を表示する目盛り表示部の構成に工夫をこらしている。
【０００５】
例えば、実公平４−３１６４５号公報に開示された考案では、コイン一枚分の厚さは通常約２ｍｍであり、この小さな隙間内に目視に耐える金額表示を施すことが困難であったことに鑑みて、コイン収納部に二列からなるコインの枚数を表示する目盛り表示部を備え、各々の列をコイン二枚分の厚みに相当する間隔で形成するとともに、双方の列の目盛り間隔がコイン一枚分の厚みになるようにして、収納されたコインの枚数を表示する数字を拡大させていた。
また、特開平１０−３５６５号公報に開示された発明では、目盛り表示部を階段状に形成するとともに、この目盛線の上方に当該目盛線までコインが積載させたときのコインの合計金額を表示していた。
さらに、特開平１１−１５４２５８号公報に開示された発明では、折り畳み自在のスタンド部材を用いて本体を傾斜して机上に配置させるとともに、目盛り表示部を３列に分けて表示することにより、硬貨３枚分の間隔おきに計数目盛りを備え、この真上に積載収納した硬貨の枚数に対応する収納硬貨の総額を表示していた。
【０００６】
【発明が解決しようとする課題】
しかしながら、実公平４−３１６４５号公報、特開平１０−３５６５号公報、そして特開平１１−１５４２５８号公報に開示されたものは、本体に蓋部を備えておらず、経済価値を有する硬貨を外部環境に露出して収納させていた。また、本体に収納したコインを本体と別体に保管するのに、一度コイン収納溝部から取り出す必要があった。
【０００７】
本発明は、以上の点に鑑みてなされたものであり、内部にコインを収納する本体に対してこの上方を覆う蓋部を備えて、収納したコインを外部環境から保護するとともに、この蓋部を開くと同時に本体を所定角度傾斜させるコイン収納具を提供することを目的とする。
また、本発明は、別体のコイン収納用トレーを着脱自在に備えてコインを収納するコイン収納具を提供することを目的とする。
【０００８】
【課題を解決するための手段】
上記目的を達成するために、請求項１に記載の発明は、内部にコインを収納する本体と、該本体を覆う蓋部を有するコイン収納具であって、前記本体と前記蓋部は、前記本体の側部の後端位置に設けられたヒンジを介して接続され、前記蓋部の背面と前記ヒンジとの間の距離を前記本体の背面と前記ヒンジとの間の距離よりも長くすることで、前記ヒンジを中心に前記蓋部を回転させて前記蓋部を開いた時に、前記蓋部の背面により前記蓋部が起立し、前記本体が所定角度で傾斜して前記蓋部に対して立てかけられることを特徴とする。
このように構成することにより、非使用時においては内部に収納したコインを外部環境から遮断して保管するとともに、使用時においては目視が容易な角度に移行するコイン収納具を提供できる。
【０００９】
そして、請求項２に記載した発明においては、請求項１に記載のものにおいて、前記コインを収納するコイン収納用トレーを前記本体内に着脱自在に備えることを特徴とする。
このように構成することにより、内部に収納したコインをトレーを用いて簡単に移動することができる。
【００１０】
そして、請求項３に記載した発明においては、請求項１又は２に記載のものにおいて、前記蓋部が起立した際に、前記本体が約２０度の角度で傾斜するように、前記蓋部の背面と前記ヒンジとの間の距離を設定したことを特徴とする。
このように構成することにより、人間は視線を水平方向よりやや下方に傾斜した姿勢を取ると作業上効率がよいことに鑑みて、約２０度の角度で本体を傾斜させることで、自然な角度でコイン収納具１００内のコインを目視することができる。
【００１１】
そして、請求項４に記載した発明においては、請求項１〜３のいずれかに記載のものにおいて、前記蓋部が起立した際に、前記蓋部が約８０度の角度で後方に傾斜するように、前記蓋部の背面を傾斜させたことを特徴とする。
このように構成することにより、人間は視線を水平方向よりやや下方に傾斜した姿勢を取ると作業上効率がよいことに鑑みて、約８０度の角度で蓋部を傾斜させることで、自然な角度でコイン収納具１００内のコインを目視することができる。
【００１２】
本発明に係るコイン収納具は基本的には以上のように構成されるが、内部にコインを収納する本体を覆う蓋部は、ロック手段を伴って本体を密閉してもよい。ただし、このロック手段は本体の鍵孔に対して別体の鍵を嵌合する構造でもよい。また、コインを収納する本体とこの蓋部はヒンジ状に開閉するのが好ましいが、他リンク機構、カム機構、さらには歯車機構を用いて開閉してもよい。さらに、上記コイン収納用トレーにコインの枚数を表示する目盛り表示部を備える際、暗所でもコインの金額を目視できるように、この目盛りを蛍光塗料を用いて形成してもよい。そして、コイン収納具はと別体に分離するコイン収納用トレーは、この上方を覆う蓋部を備えてもよい。
【００１３】
【発明の実施の形態】
以下、本発明の好適な実施形態を、添付した図面を参照して詳細に説明する。
まず、図１〜図３を参照して、本発明の実施の形態に係るコイン収納具１００の全体構成について説明する。
次に、図４〜図９を参照して、本発明の実施の形態に係るコイン収納具１００の構成の詳細について説明する。
【００１４】
図１に示すように、本発明の実施の形態に係るコイン収納具１００は、少なくともコイン収納用トレー１０、蓋部２０、本体３０、開閉手段４０そして固定手段５０を備える。本体３０は、コイン収納用トレー１０内にコイン（図示せず）を収納するとともに、この上方を蓋部２０により開閉自在に覆う。ただし、蓋部２０を開くと本体３０は自動的に所定角度Ａで傾斜することを特徴とする。
つまり、固定手段５０を解除状態（矢印Ｍ１参照）に移すとともに、開閉手段４０を用いて蓋部２０を開口状態（矢印Ｒ１参照）に移すことで、本体３０は机上において所定角度Ａで傾斜して使用状態に移行する。
また、開閉手段４０を用いて蓋部２０を閉口状態（矢印Ｒ２参照）に移すとともに、固定手段５０を固定状態（矢印Ｍ２参照）に移して、本体３０を非使用状態に移行する。
従って、無駄のない動作から、コイン収納用トレー１０の使用状態と非使用状態を区別することができる。
【００１５】
この際、図２に示すように、本発明の実施の形態に係るコイン収納具１００は上記コイン収納用トレー１０を着脱自在に備える。従って、トレー１０を適宜出し入れすることで、本体３０内に収納したコインを任意の場所に移動して保管することが容易になる。
この際、本体は正面３３と背面３５の間に収納溝部（凹部）３４を備えて、この溝部３４内にトレー１０を位置決めする。好適には、正面３３及び背面３５を波状に形成して、正面３３及び背面３５から指を用いてトレー１０を掴持できるようにする。
ただし、このコイン収納具１００を例えば日本国内で使用する場合には、１円、５円、１０円、５０円、１００円そして５００円硬貨の各々に対して、専用のトレー１０ａ〜１０ｆを提供することが好ましい。この場合、これらトレー１０を内部に収納する収納溝部３４ａ〜３４ｆもまた、トレー１０ａ〜１０ｆの外部形状に沿った形状を有する。即ち、トレー１０を本体内に配置する際、トレー１０の外部形状が収納溝部３４の形状と噛合する（図５参照）ことで、トレー１０は本体３０内で揺動等を生じさせずに、定位置に位置決めされて収納される。
尚、各トレー１０ａ〜１０ｆは使用する硬貨毎に各々異なる大きさでもよいが、特に５００円硬貨のみが他の硬貨よりも形状をより大きくしている点に鑑みて、好適には１〜１００円硬貨を収納するトレーを同一形状に形成するとともに、５００円硬貨を収納するトレーのみやや大きく形成する。ただし、本発明の実施の形態に係るこれらトレー１０を他の国の通貨制度に従って提供してもよい。
【００１６】
図３は、上記コイン収納用トレー１０内にコイン１を収納する状態を収納直前（Ａ）と収納直後（Ｂ）に分けて示す図である。
図示されるように、トレー１０は上面を開口して内部にコイン１を収納自在に構成する。トレー１０は任意の形状に形成されてもよいが、好適には少なくとも底面を机上に対して安定して配置できるようにする。
ただし、好適にはトレー１０は内部にコインを所定枚数毎に区切る仕切り部１１を備えて、所定枚数毎のコインを瞬時に識別し、取り出すことを可能にする。図示した実施の形態では、この仕切り部１１はコインを１０枚毎に仕切る。この場合、図３の（Ａ）に示すように、コインの厚さをＤ１とし、各仕切り部の間隔をＤ２とすると、Ｄ２はＤ１の約１０倍に等しい。この仕切り部１１はトレーの大きさに従って任意の数だけ提供されてもよいが、好適には５つ備えられる。
【００１７】
以上のように構成されることで、本発明の実施の形態に係るコイン収納具１００は、内部にコイン１を収納する本体３０に対してこの上方を覆う蓋部２０を備えて、収納したコイン１を外部環境から速やかに保護するとともに、この蓋部２０を開くと同時に本体３０を所定角度傾斜させる。また、本発明はコイン１を収納する際、別体のコイン収納用トレー１０を用いて着脱自在に保管する。
【００１８】
次に、図４〜図７を参照して、上記開閉手段４０と固定手段５０についてより詳細に説明する。
図４は、上記コイン収納具１００の平面図を示している。ただし、ｐ−ｐ線に沿って蓋部２０を左右に分けて示している。また、同状態の正面図を図５に示している。ただし、図５の左側は、図４のｑ−ｑ線に沿った断面図を示している。
【００１９】
ここで、図４、図５を参照して、本体３０に対して蓋部２０を開閉させる開閉手段４０について説明する。好適には、この開閉手段４０はヒンジであって、図示されるように、本体３０側部に突出部３６、３７を形成するとともに、これら突出部３６、３７に対して蓋部２０に孔部２６を設けて入れ子状に重ねる。さらに、突出部３６、３７の間に支持部４１を嵌合させるとともに、支持部４１、突出部３６内に設けた係合孔部３８、４３内にネジ４２とワッシャ４４を嵌合させてヒンジ４０を構成する。また、好適には、ヒンジ４０を左右対称に本体３０側部に設けることで、蓋部２０と本体３０を回転自在に構成する。
【００２０】
次に、図４、図５を参照して、本体３０に対して蓋部２０を固定させる固定手段５０を直接操作する操作部６０について説明する。
本発明に係る好適な実施の形態では、蓋部２０の正面側に操作部６０をスライド自在に配置する。ただし、スライド部６０は上記固定手段５０（図１参照）と連動する。
即ち、蓋部２０は表面に凹状部６３を形成してこの内部にスライド部６０の本体６１をスライド自在に収納する。また、好適には本体６１の表面にスライド操作を容易にする操作部（摩擦面）６２（図４参照）を形成するとともに、この底面に上記固定手段５０と結合する結合部６４を備える（図５参照）。従って、蓋部２０上方でこの操作部６２をスライド操作することで、本体３０内部の固定手段５０（図１参照）が連動して操作される。
【００２１】
ここで、図６を参照して、スライド部６０と連動する固定手段５０について説明する。ただし、図６の（Ａ）は解除状態の固定手段５０について示し、また同図の（Ｂ）は固定状態の固定手段５０について示している。
図示されるように、固定手段５０は好適にはフック状部であり、本体５１を断面略Ｌ字状に形成するとともに、本体５１の一方の端部５３付近に孔部５４を形成して上記結合部６４を介して上記スライド部６０と固定するとともに、他方の端部５２でコイン収納具本体３０の係止溝３２と係止する（図６の（Ｂ）参照）。
故に、図６の（Ａ）に示すように、スライド部６０をＭ１方向（図１参照）に移動させることでフック状部５０を解除状態に移し、同図の（Ｂ）に示すように、スライド部６０をＭ２方向（図１参照）に移動させることでフック状部５０を固定状態に移行する。
【００２２】
図７は、コイン収納具１００を開口させたときの、本体中央にそった断面図を示している。尚、本体３０の回転上の中心を示す点Ｏは、上記ヒンジ４０の中心点に相当する。上述のように、回転中心Ｏを中心に蓋部２０を回転することで、本体３０は前方端部３１にて自動的に所定の角度Ａで傾斜する。
この際、例えば、リンク機構、カム機構、さらには歯車機構等の駆動機構（図示せず）を用いて蓋部２０を本体３０に対して開閉させることで、この開閉動作に伴って、例えば本体３０底面からスタンド部材（図示せず）が繰り出されるように構成してもよい。
しかしながら、本発明の実施の形態では蓋部２０を本体３０よりも距離Ｌ（図４参照）だけ長く延在させるとともに、この蓋部２０の背面２１を所定の角度Ｂ（図７参照）にて傾斜させることで、駆動機構等を用いずに、低コストでかつ簡単な構造によって、蓋部２０を開閉させるだけで本体３０が傾斜して立てかけられるようにする。
ただし、具体的には、上記角度Ａは約２０度であり、角度Ｂは約８０度である。このため、本発明に係るコイン収納具１００を使用する使用者は、自然な角度でコイン収納具１００内のコインを目視することができる。
尚、図６、図７を参照すると、蓋部２０は後方に一部突出する壁部２９を備える。この場合、回転上、本体３０がこの壁部２９と干渉しないように、端部形状３９を適宜修正する。
【００２３】
次に、本発明の実施の形態に係るコイン収納用トレー１０と、このトレー内部に設けられる、コインの金額または枚数を表示する目盛り表示部７０について詳細に説明する。
図３に示したように、コイン収納用トレー１０は上面を開口して内部にコイン１を収納するが、この際底面１２に図８に示す目盛り表示部７０を備える。ただし、目盛り表示部７０の本体７１はトレー１０内部の底面に付設される。尚、図８に示した目盛り表示部７０は、特に１円硬貨用のものである。
図示されるように、目盛り表示部７０は本体７１を３列７２、７３及び７４に分けてコイン１の金額を表示するとともに、中央列７３に所定枚数おきのコイン１の金額を表示する。ただし、具体的には、中央列７３は５つおきのコイン１の金額を表示する。この際、好適には左列７２に１、３、６、８、１１、１３...の順番でコイン１の収納金額を表示するとともに、右列７４に２、４、７、９、１２、１４...の順番でコイン１の収納金額を表示する。ただし、これら金額を表示する数字は、常に目盛り線の真上にあるものとする。
従って、各々の目盛り線の最短間隔をコイン１の厚さの２倍に構成することで、金額表示の目視を容易にする。この際、中央列７３は目盛り線の間隔を少なくともコイン１の厚さの５倍で構成するため、５つおきに進行する金額表示をより大きな形状で表示してもよい。
また、左列７２、中央列７３、そして右列７４に、定められた順番でコイン１の金額を表示することで、感覚的に収納したコイン１金額を推量することができ、金額の把握がより確かなものになる。
尚、上述したように、図８に示した目盛り表示部７０は特に１円硬貨用に限定したものであるが、他、５円、１０円、５０円、１００円及び５００円硬貨、さらには他国の通貨制度に従う硬貨用の目盛り表示部（図示せず）は同様にして構成されるものとする。
【００２４】
また、上記目盛り表示部７０は所定枚数おきにコイン枚数を色分けして表示してもよい。好適には、目盛り表示部７０は本体７１を所定枚数単位でコインを区切る仕切り部１１（図３参照）と対応して本体７１を等間隔の区分７５、７６、７７、７８及び７９に区分けするとともに、各区分７５、７６、７７、７８及び７９を一つおきに異なる色で着色する。ただし、好適にはコイン１０枚ごとに各区分７５、７６、７７、７８及び７９を構成する。
従って、トレー１０は収納したコインを所定枚数毎に瞬時に把握し、取り出すことがより容易になる。
さらに、目盛り表示部７０は金額を表示する数字を蛍光塗料で着色してもよい。この場合、コイン収納具１００を暗所で使用する場合にも比較的容易にコインの金額を把握することが可能になる。
【００２５】
従って、本発明の実施の形態に係るコイン収納用トレー１０は、単に金額把握の効率を高めるのみならず、例えば数の計算を学習したばかりの子供にも使用できるため、教育上の効果も奏する。
【００２６】
また、図９に示すように、上記コイン収納用トレー１０を内部にコイン１を収納した状態で、複数のコイン収納用トレー１０を積重ね可能に構成してもよい。具体的には、トレー１０に係合凹部１８と係合凸部１９を備え、これら係合凹部１８と係合凸部１９を互いに係合させることで、トレー１０を上下に複数重ねて配置させる。この場合、好適にはトレー１０の底面の縁部１６に係合凹部１８を設けるとともにトレー１０の上面の縁部１７に係合凸部１９を設けるのが好ましい。
しかしながら、これら係合凸部１９と係合凹部１８は図９に示すようにトレー１０の正面及び背面側に形成してもよく、あるいはトレー１０の左右の側面側（図示せず）に形成してもよい。
さらに、各複数のトレー１０の間に別体の連結部（図示せず）を配設して、上記コイン収納用トレー１０を内部にコインを収納した状態で、上下に複数重ねて配置するように構成してもよい。
そして、これらトレー１０を蓋部（図示せず）を用いて覆うように構成してもよい。
【００２７】
【発明の効果】
本発明は以上説明したように構成されたコイン収納具であるから、請求項１に記載した発明によれば、非使用時においては内部に収納したコインを外部環境から遮断して保管するとともに、使用時においては目視が容易な角度に移行することが可能になる。
【００２８】
請求項２に記載した発明によれば、内部に収納したコインをトレーを用いて簡単に移動することが可能になる。
【００２９】
請求項３に記載した発明によれば、人間は視線を水平方向よりやや下方に傾斜した姿勢を取ると作業上効率がよいことに鑑みて、約２０度の角度で本体を傾斜させることで、自然な角度でコイン収納具１００内のコインを目視することが可能になる。
【００３０】
請求項４に記載した発明によれば、人間は視線を水平方向よりやや下方に傾斜した姿勢を取ると作業上効率がよいことに鑑みて、約８０度の角度で蓋部を傾斜させることで、自然な角度でコイン収納具１００内のコインを目視することが可能になる。
【図面の簡単な説明】
【図１】  本発明の実施の形態に係るコイン収納具を示す斜視図である。
【図２】  コイン収納用トレーを別体に示すコイン収納具を示す斜視図である。
【図３】  本発明の実施の形態に係るコイン収納用トレーを示す斜視図である。
【図４】  本発明の実施の形態に係るコイン収納具をｐ−ｐ線にて左右に分けて示す平面図である。
【図５】  本発明の実施の形態に係るコイン収納具を図４のｑ−ｑ線にて左右に分けて示す正面図である。
【図６】  本発明の実施の形態に係るコイン収納具の固定手段の作動状態を示す断面側面図である。
【図７】  本発明の実施の形態に係るコイン収納具の使用時を示す、本体中央における断面側面図である。
【図８】  本発明の実施の形態に係る目盛り表示部を示す平面図である。
【図９】  本発明の実施の形態に係るコイン収納具の他の実施形態を示す図である。
【符号の説明】
１０            コイン収納用トレー
２０            蓋部
３０            本体
４０            開閉手段（ヒンジ）
５０            固定手段（フック状部）
６０            操作部（スライド部）
７０            目盛り表示部
１００          コイン収納具
【図１】
0003845817.tif 000002
【図２】
0003845817.tif 000003
【図３】
0003845817.tif 000004
【図４】
0003845817.tif 000005
【図５】
0003845817.tif 000006
【図６】
0003845817.tif 000007
【図７】
0003845817.tif 000008
【図８】
0003845817.tif 000009
【図９】
0003845817.tif 000010